(57)【要約】【課題】マルチユーザ伝送の効率が向上するように、複数の無線端末装置に対してマルチユーザ伝送のためのグループ化を行う。【解決手段】送信されるデータを蓄積する送信バッファと、無線端末装置から受信した送信単位の伝送条件の情報、あるいは、送信バッファに蓄積されたデータと、無線端末装置との間で使用する伝送速度の情報とに基づいて、送信バッファに蓄積されて送信されるデータの送信状況に関する特徴を送信単位ごとに取得する特徴取得部と、各送信単位について特徴取得部が取得した特徴の一致度合いにしたがって、同時に送信を行う送信単位の組み合わせを生成する組み合わせ生成部と、組み合わせ生成部が生成した組み合わせに属する複数の送信単位のそれぞれに対応して送信バッファに蓄積されているデータを同時に送信する送信部と、を備えることを特徴とする無線通信装置。【選択図】図１
2014165770.tif 000002
【特許請求の範囲】
【請求項１】
送信されるデータを蓄積する送信バッファと、
無線端末装置から受信した送信単位の伝送条件の情報、あるいは、前記送信バッファに蓄積されたデータと、前記無線端末装置との間で使用する伝送速度の情報とに基づいて、前記送信バッファに蓄積されて送信されるデータの送信状況に関する特徴を前記送信単位ごとに取得する特徴取得部と、
各送信単位について前記特徴取得部が取得した前記特徴の一致度合いにしたがって、同時に送信を行う前記送信単位の組み合わせを生成する組み合わせ生成部と、
前記組み合わせ生成部が生成した組み合わせに属する複数の送信単位のそれぞれに対応して前記送信バッファに蓄積されているデータを同時に送信する送信部と、
を備えることを特徴とする無線通信装置。
【請求項２】
前記組み合わせ生成部は、前記特徴の一致度合いとして、データを送信する周期の一致度合い、または送信するデータの時間長の一致度合いを用い、前記周期、または前記時間長の一致度合いにしたがって、同時に送信を行う前記送信単位の組み合わせを生成する
ことを特徴とする請求項１に記載の無線通信装置。
【請求項３】
前記組み合わせ生成部は、前記送信単位に対応した前記無線端末装置の前記伝送速度の情報にしたがって、同時に送信を行う送信単位の候補を選択し、選択した前記送信単位の候補の中から前記特徴の一致度合いにしたがって、同時に送信を行う前記送信単位の組み合わせを生成する
ことを特徴する請求項１または２に記載の無線通信装置。
【請求項４】
前記組み合わせ生成部は、前記送信単位に対応するデータの前記送信バッファにおける蓄積量をさらに用いて、同時に送信を行う送信単位の候補を選択する
ことを特徴とする請求項３に記載の無線通信装置。
【請求項５】
前記組み合わせ生成部は、前記送信単位について前記特徴取得部が取得した特徴と、既に候補として選択されている送信単位について前記特徴取得部が取得した特徴との一致度合いをさらに用いて、同時に送信を行う送信単位の候補を選択する
ことを特徴とする請求項３または４に記載の無線通信装置。
【請求項６】
前記組み合わせ生成部は、同時に送信を行う送信単位の候補を選択する際に、同時に送信を行う際の前記送信単位の伝送速度が、当該送信単位において要求されている要求帯域を満たすか否かを判定し、同時に送信を行う際の前記伝送速度が、前記要求帯域を満たすとさらに判定した場合、当該送信単位を同時に送信を行う送信単位の候補として選択する
ことを特徴とする請求項３に記載の無線通信装置。
【請求項７】
前記送信単位とは、無線端末装置ごとに付与されているアドレスで特定される前記無線端末装置への送信、または、前記無線端末装置が複数のフローを有する場合、前記アドレスと前記フローを特定する識別情報の組で特定される前記無線端末装置への送信である
ことを特徴とする請求項１から６のいずれか１つに記載の無線通信装置。
【請求項８】
無線通信装置が実行する無線送信方法であって、
送信されるデータを送信バッファに蓄積するデータ蓄積過程と、
無線端末装置から受信した送信単位の伝送条件の情報、あるいは、前記送信バッファに蓄積されたデータと、前記無線端末装置との間で使用する伝送速度の情報とに基づいて、前記送信バッファに蓄積されて送信されるデータの送信状況に関する特徴を前記送信単位ごとに取得する特徴取得過程と、
各送信単位について前記特徴取得過程において取得した前記特徴の一致度合いにしたがって、同時に送信を行う前記送信単位の組み合わせを生成する組み合わせ生成過程と、
前記組み合わせ生成過程において生成した組み合わせに属する複数の送信単位のそれぞれに対応して前記送信バッファに蓄積されているデータを同時に送信する送信過程と、
を有することを特徴とする無線送信方法。
【発明の詳細な説明】
【技術分野】
【０００１】
本発明は、例えば、複数の無線端末装置に対して同時に無線通信を行う無線通信装置、及び無線送信方法に関する。
【背景技術】
【０００２】
無線ＬＡＮ（Local Area Network）の伝送方式については、近年、ＩＥＥＥ８０２．１１の仕様において様々な手法で高速化や帯域の効率的な利用が図られてきている（例えば、非特許文献１参照）。また、更なる帯域の効率的な利用を図るため複数の無線端末装置に対して同時に送信を行うマルチユーザ伝送についての方式の検討が進められている（例えば、非特許文献２参照）。
【先行技術文献】
【非特許文献】
【０００３】
【非特許文献１】The LAN/MAN Standards Committee, “IEEE Std 802.11(TM) - 2012 IEEE Standard for Information Technology - Telecommunications and information exchange between systems - Local and metropolitan area networks - Specific requirements Part11:Wireless LAN Medium Access Control (MAC) and Physical Layer(PHY) Specifications", Revision of IEEE Std 802.11 -2007, IEEE, 29 March 2012
【非特許文献２】The 802.11 Working Group of the 802 Committee, ”IEEE P802.11ac(TM)/D5.0 Draft STANDARD for Information Technology - Telecommunications and information exchange between systems - Local and metropolitan area networks - Specific requirements, Part 11: Wireless LAN Medium Access Control (MAC) and Physical Layer (PHY) specifications, Amendment 4: Enhancements for Very High Throughput for Operation in Bands below 6 GHz”, IEEE, January 2013
【発明の概要】
【発明が解決しようとする課題】
【０００４】
非特許文献２では、マルチユーザ伝送の一形態として、無線基地局装置が複数の無線端末装置に対して、同時に下りデータ転送を行う下りマルチユーザＭＩＭＯ（Multiple Input Multiple Output）技術が規定されており、マルチユーザ伝送を実現するため無線端末装置をグループ化する手順が定められている。しかしながら、各無線端末装置へ送信するデータ量などを考慮せずに単にグループ化しても、無線基地局装置（無線通信装置）において、マルチユーザ伝送の対象となるデータの送信権を取得し、無線端末装置へデータ送信を行う際に、同時に送信するデータが無いという状況が発生し得る。これによって、帯域に空きが生じてリソースを無駄に消費してしまい、結果的にシングルユーザ伝送になってしまったりするなどの問題がある。また、同時に送信するフローがあっても、データフレーム時間長が大きく異なることで周波数リソースの使用率が向上しない場合もある。このように、マルチユーザ伝送のためのグループ化が、必ずしも効率的なマルチユーザ伝送が実現されるようには行われないことがある。
【０００５】
本発明は、上記問題を解決すべくなされたもので、その目的は、マルチユーザ伝送の効率が向上するように、複数の無線端末装置に対してマルチユーザ伝送のためのグループ化を行う無線通信装置、及び無線送信方法を提供することにある。
【課題を解決するための手段】
【０００６】
上記問題を解決するために、本発明の一態様は、送信されるデータを蓄積する送信バッファと、無線端末装置から受信した送信単位の伝送条件の情報、あるいは、前記送信バッファに蓄積されたデータと、前記無線端末装置との間で使用する伝送速度の情報とに基づいて、前記送信バッファに蓄積されて送信されるデータの送信状況に関する特徴を前記送信単位ごとに取得する特徴取得部と、各送信単位について前記特徴取得部が取得した前記特徴の一致度合いにしたがって、同時に送信を行う前記送信単位の組み合わせを生成する組み合わせ生成部と、前記組み合わせ生成部が生成した組み合わせに属する複数の送信単位のそれぞれに対応して前記送信バッファに蓄積されているデータを同時に送信する送信部と、を備えることを特徴とする無線通信装置である。
なお、無線通信装置は、実施形態における無線ＬＡＮアクセスポイント装置１に対応し、無線端末装置は、実施形態における無線ＬＡＮ端末装置５０に対応し、特徴取得部は、実施形態におけるアドミッション制御部１７、統計情報取得部１９、フロー情報管理部２２、及び端末情報管理部２６に対応し、組み合わせ生成部は、実施形態におけるＧＩＤ管理部２４に対応し、送信部は、実施形態におけるプロトコル処理部１４、無線送受信処理部１１、及び無線アンテナ１０−１〜１０−Ｍに対応する。
【０００７】
また、本発明の一態様は、上記に記載の発明において、前記組み合わせ生成部は、前記特徴の一致度合いとして、データを送信する周期の一致度合い、または送信するデータの時間長の一致度合いを用い、前記周期、または前記時間長の一致度合いにしたがって、同時に送信を行う前記送信単位の組み合わせを生成することを特徴とする。
【０００８】
また、本発明の一態様は、上記に記載の発明において、前記組み合わせ生成部は、前記送信単位に対応した前記無線端末装置の前記伝送速度の情報にしたがって、同時に送信を行う送信単位の候補を選択し、選択した前記送信単位の候補の中から前記特徴の一致度合いにしたがって、同時に送信を行う前記送信単位の組み合わせを生成することを特徴する。
【０００９】
また、本発明の一態様は、上記に記載の発明において、前記組み合わせ生成部は、前記送信単位に対応するデータの前記送信バッファにおける蓄積量をさらに用いて、同時に送信を行う送信単位の候補を選択することを特徴とする。
【００１０】
また、本発明の一態様は、上記に記載の発明において、前記組み合わせ生成部は、前記送信単位について前記特徴取得部が取得した特徴と、既に候補として選択されている送信単位について前記特徴取得部が取得した特徴との一致度合いをさらに用いて、同時に送信を行う送信単位の候補を選択することを特徴とする。
【００１１】
また、本発明の一態様は、上記に記載の発明において、前記組み合わせ生成部は、同時に送信を行う送信単位の候補を選択する際に、同時に送信を行う際の前記送信単位の伝送速度が、当該送信単位において要求されている要求帯域を満たすか否かを判定し、同時に送信を行う際の前記伝送速度が、前記要求帯域を満たすとさらに判定した場合、当該送信単位を同時に送信を行う送信単位の候補として選択することを特徴とする。
【００１２】
また、本発明の一態様は、上記に記載の発明において、前記送信単位とは、無線端末装置ごとに付与されているアドレスで特定される前記無線端末装置への送信、または、前記無線端末装置が複数のフローを有する場合、前記アドレスと前記フローを特定する識別情報の組で特定される前記無線端末装置への送信であることを特徴とする。
【００１３】
また、本発明の一態様は、無線通信装置が実行する無線送信方法であって、送信されるデータを送信バッファに蓄積するデータ蓄積過程と、無線端末装置から受信した送信単位の伝送条件の情報、あるいは、前記送信バッファに蓄積されたデータと、前記無線端末装置との間で使用する伝送速度の情報とに基づいて、前記送信バッファに蓄積されて送信されるデータの送信状況に関する特徴を前記送信単位ごとに取得する特徴取得過程と、各送信単位について前記特徴取得過程において取得した前記特徴の一致度合いにしたがって、同時に送信を行う前記送信単位の組み合わせを生成する組み合わせ生成過程と、前記組み合わせ生成過程において生成した組み合わせに属する複数の送信単位のそれぞれに対応して前記送信バッファに蓄積されているデータを同時に送信する送信過程と、を有することを特徴とする無線送信方法である。
【発明の効果】
【００１４】
この発明によれば、マルチユーザ伝送の効率が向上するように、複数の無線端末装置に対してマルチユーザ伝送のためのグループ化を行うことが可能となる。
【図面の簡単な説明】
【００１５】
【図１】本発明の実施形態による無線通信システム及び無線ＬＡＮアクセスポイント装置の内部構成を示すブロック図である。
【図２】同実施形態による無線ＬＡＮ端末装置の内部構成を示すブロック図である。
【図３】同実施形態によるフロー情報記憶部のデータ構成を示す図である。
【図４】同実施形態によるＧＩＤ記憶部のデータ構成を示す図である。
【図５】同実施形態による端末情報記憶部のデータ構成を示す図である。
【図６】同実施形態による受付制御の処理を示す図である。
【図７】同実施形態による統計情報取得部の処理を説明するための図である。
【図８】同実施形態によるペアリング候補の選択の処理を示したフローチャートである。
【図９】同実施形態による送信データの周期による無線ＬＡＮ端末装置の組み合わせの生成の処理を示した図である。
【図１０】同実施形態による送信データの時間長による無線ＬＡＮ端末装置の組み合わせの生成の処理を示した図である。
【図１１】同実施形態による効果を説明するための図である。
【発明を実施するための形態】
【００１６】
以下、本発明の実施形態について図面を参照して説明する。
図１は、本発明の実施形態による無線通信システム１００を示したブロック図である。無線通信システム１００は、無線ＬＡＮアクセスポイント装置１と、複数の無線ＬＡＮ端末装置５０−１〜５０−Ｎを備える。無線ＬＡＮアクセスポイント装置１と、無線ＬＡＮ端末装置５０−１〜５０−Ｎは、それぞれＩＥＥＥ８０２．１１の規格にしたがった無線の送受信を行う無線通信装置と、無線端末装置である。以下の説明では、無線ＬＡＮ端末装置５０−１〜５０−Ｎのいずれか１つを一例として示す場合には、無線ＬＡＮ端末装置５０として記載する。
【００１７】
同図に示すように、無線ＬＡＮアクセスポイント装置１は、複数の無線アンテナ１０−１〜１０−Ｍ、無線送受信処理部１１、無線ＬＡＮアクセス制御部１３、中継処理部２９、ネットワークインタフェース部３０を備える。
【００１８】
無線送受信処理部１１は、複数の無線アンテナ１０−１〜１０−Ｍに接続される。無線送受信処理部１１は、信号処理部１２を有しており、無線アンテナ１０−１〜１０−Ｍを通じて、複数の無線ＬＡＮ端末装置５０−１〜５０−Ｎと無線による情報の送受信を行う。無線送受信処理部１１において、信号処理部１２は、例えば、ＭＵ−ＭＩＭＯ（Multi User-Multiple Input Multiple Output）またはＯＦＤＭＡ（Orthogonal Frequency Division Multiple Access）のように、複数ユーザ、すなわち複数の無線ＬＡＮ端末装置５０に対して無線信号を同時に送受信するマルチユーザ伝送方式に基づいて、送受信する信号を符号化および復号化するなどの変換処理を行う。
【００１９】
無線ＬＡＮアクセス制御部１３は、プロトコル処理部１４、アドミッション制御部１７、アドミッション情報記憶部１８、統計情報取得部１９、送信キュー部２０、情報管理部２１、及び計時部２８を備える。
【００２０】
無線ＬＡＮアクセス制御部１３において、プロトコル処理部１４は、受信パケット処理部１５と、アクセス制御部１６を備える。
受信パケット処理部１５は、無線アンテナ１０−１〜１０−Ｍを通じて受信され信号処理部１２により復号処理された信号に対してＭＡＣ（Media Access Control）層の受信に関する処理を行う。また、受信パケット処理部１５は、データフレームを受信した場合には、その信号を上位レイヤに出力し、ＩＥＥＥ８０２．１１標準規格で規定されるマネジメントフレームを受信した場合には、フレームの種別に応じた処理を行う。また、受信パケット処理部１５は、Ａｓｓｏｃｉａｔｉｏｎ  Ｒｅｑｕｅｓｔ信号を受信した場合には、その信号を端末情報管理部２６に出力するとともに、無線ＬＡＮ端末装置５０との接続処理を行い、その過程で当該無線ＬＡＮ端末装置５０がサポートする機能（無線区間の伝送速度など）を記憶する。また、受信パケット処理部１５は、ＡＤＤＴＳ．Ｒｅｑｕｅｓｔ信号を受信した場合には、その信号から無線ＬＡＮ端末装置５０が要求してきたトラフィックの情報と、送信元の無線ＬＡＮ端末装置５０のＭＡＣアドレスを取得し、アドミッション制御部１７に出力する。なお、トラフィックの情報に含まれるＴＳＰＥＣ(Traffic SPECification)の情報は、通信の品質制御のために要求される伝送条件を示す。また、受信パケット処理部１５は、受信した信号が他の通信装置宛の信号の場合、受信した信号を中継処理部２９に出力する処理などを行う。
アクセス制御部１６は、ＭＡＣ層の送信に関する処理を行い、ＣＳＭＡ／ＣＡ（衝突回避型搬送波探知多元接続）プロトコルにもとづくアクセス制御を行った後に、データフレームやビーコン信号、Ａｓｓｏｃｉａｔｉｏｎ  Ｒｅｑｕｅｓｔ信号の応答であるＡｓｓｏｃｉａｔｉｏｎ  Ｒｅｓｐｏｎｓｅ信号、ＡＤＤＴＳ．Ｒｅｑｕｅｓｔ信号の応答信号であるＡＤＤＴＳ．Ｒｅｓｐｏｎｓｅ信号などのマネジメントフレームの送信処理を行うとともに、送信に失敗した場合の再送処理などを行う。
【００２１】
アドミッション制御部１７は、受信パケット処理部１５からトラフィックの情報と無線ＬＡＮ端末装置５０のＭＡＣアドレスを受けた場合、トラフィックの情報に基づいて、無線ＬＡＮ端末装置５０が要求する品質の通信を受け付けるか否かを判定する受付制御の処理を行う。アドミッション制御部１７は、要求された品質の通信を受け付けると判定した場合、トラフィックの情報に含まれるＴＳＰＥＣの情報を、要求してきた、つまり、ＡＤＤＴＳ．Ｒｅｑｕｅｓｔ信号送信元の無線ＬＡＮ端末装置５０のＭＡＣアドレスに対応付けてアドミッション情報記憶部１８に書き込む。さらに、アドミッション制御部１７は、要求してきた無線ＬＡＮ端末装置５０のＭＡＣアドレスとＴＳＰＥＣの情報を情報管理部２１に出力する。また、アドミッション制御部１７は、受付可否の情報を含むＡＤＤＴＳ．Ｒｅｑｕｅｓｔ信号に対する応答であるＡＤＤＴＳ．Ｒｅｓｐｏｎｓｅ信号を生成し、送信キュー部２０に出力して無線ＬＡＮ端末装置５０に送信する。
【００２２】
統計情報取得部１９は、中継処理部２９から出力され送信キュー部２０に蓄積される送信パケットの参照及び情報収集を行い、参照した情報や収集した情報に基づいて平均パケット長などの情報を算出して情報管理部２１に出力する。
送信キュー部２０は、無線ＬＡＮ端末装置５０に送信するデータを蓄積する送信バッファであり、優先度付けされたキューごとに送信するデータを蓄積し、優先度にしたがってアクセス制御部１６に出力する。
計時部２８は、要求に応じて要求された際の時刻の情報を出力する。
【００２３】
情報管理部２１は、フロー情報管理部２２、フロー情報記憶部２３、ＧＩＤ（Group IDentification）管理部２４、ＧＩＤ記憶部２５、端末情報管理部２６、端末情報記憶部２７を備える。
情報管理部２１において、フロー情報管理部２２は、アドミッション制御部１７や統計情報取得部１９から無線ＬＡＮ端末装置５０に対する送信に関する情報を受け、これらの情報をフロー情報記憶部２３に書き込む。
【００２４】
図３は、フロー情報記憶部２３が記憶するデータのデータ構成を示す図である。同図に示すように、フロー情報記憶部２３が記憶するデータは、端末ＭＡＣアドレス、ＡＤＤＴＳ．Ｒｅｑｕｅｓｔ受付状態、ＡＤＤＴＳ．Ｒｅｑｕｅｓｔ受付時刻、ＴＳＩＤ（Traffic Stream Identifier）、平均ＭＳＤＵ（MAC Service Data Unit）サイズ、最小サービス間隔、最大サービス間隔、平均データレート、優先度、データ到達間隔、アグリゲーション数、ペアリング候補の項目を有する。
【００２５】
端末ＭＡＣアドレスの項目には、無線ＬＡＮアクセスポイント装置１が、無線による接続を許可している無線ＬＡＮ端末装置５０のＭＡＣアドレスが書き込まれる。
ＡＤＤＴＳ．Ｒｅｑｕｅｓｔ受付状態の項目には、アドミッション制御部１７が、ＡＤＤＴＳ．Ｒｅｑｕｅｓｔを無線ＬＡＮ端末装置５０から受信した際に行うフローの受付処理の結果が書き込まれ、例えば、フローを受け付けた場合には、「１」、フローを受け付けなかった場合、またはフローの受付処理が行われていない場合には、「０」が書き込まれる。
ＡＤＤＴＳ．Ｒｅｑｕｅｓｔ受付時刻には、アドミッション制御部１７が、ＡＤＤＴＳ．Ｒｅｑｕｅｓｔを受信した際に計時部２８から取得した時刻の情報が書き込まれる。なお、図３では、ＡＤＤＴＳ．Ｒｅｑｕｅｓｔ受付時刻の項目には、例として、時刻の情報のみを示しているが、年月日の情報も記録されているものとする。
ＴＳＩＤの項目には、アドミッション制御部１７が受信したＡＤＤＴＳ．Ｒｅｑｕｅｓｔに含まれるＴＳＰＥＣの情報の中のフローを一意に識別できるＴＳＩＤの識別番号が書き込まれる。
【００２６】
なお、本実施形態における無線ＬＡＮアクセスポイント装置１から無線ＬＡＮ端末装置５０に対する個々の送信を識別する単位（送信単位）には２通りあり、アドミッション制御部１７による受付処理により受け付けられた送信については、フローという単位で参照される。フローは、１つの無線ＬＡＮ端末装置５０が複数有するものとして、端末のＭＡＣアドレスとＴＳＩＤの組として表される。一方、受付処理により受け付けられていない無線ＬＡＮ端末装置５０、または、アドミッション制御の機能を備えていない無線ＬＡＮ端末装置５０の場合には、送信単位は、端末のＭＡＣアドレスのみで表される。図３では、一例として、アドミッション制御の機能を備えており、かつ要求した品質の通信が受け付されたある１台の無線ＬＡＮ端末装置５０の例を１列目と２列目に示しており、そのため１列目と２列目の端末ＭＡＣアドレスの値は、同一となっている。３列目には、受付処理により受け付けられなかった無線ＬＡＮ端末装置５０、またはアドミッション制御の機能を有していない無線ＬＡＮ端末装置５０の例を示している。
【００２７】
平均ＭＳＤＵサイズから優先度までの項目には、ＡＤＤＴＳ．Ｒｅｑｕｅｓｔに含まれるＴＳＰＥＣの情報から、それぞれの項目に対応する情報が選択されて書き込まれる。アドミッション制御部１７による受付処理により受け付けられなかった無線ＬＡＮ端末装置５０、またはアドミッション制御の機能を有していない無線ＬＡＮ端末装置５０の場合、平均ＭＳＤＵサイズ、優先度の項目には、統計情報取得部１９が、送信キュー部２０に蓄積される送信パケットを参照することにより取得したそれぞれに対応する情報が書き込まれる。
【００２８】
データ到達間隔の項目には、送信キュー部２０に蓄積される送信パケットからの情報収集により統計情報取得部１９が取得した平均パケット長と、シングルユーザ伝送時の無線区間の伝送速度とに基づいて、フロー情報管理部２２が算出する値が書き込まれる。なお、データ到達間隔については、アドミッション制御部１７による受付処理により受け付けられなかった無線ＬＡＮ端末装置５０、またはアドミッション制御の機能を有していない無線ＬＡＮ端末装置５０の場合のみ書き込まれる。
アグリゲーション数には、統計情報取得部１９が、送信キュー部２０に蓄積される送信パケットを参照することにより取得するアグリゲーションの数、すなわち、以下の参考文献に示されるＭＡＣ層におけるデータ・ユニットが束ねられた個数の数が書き込まれる「参考文献：守倉正博、久保田周治監修、『改訂三版８０２．１１高速無線ＬＡＮ教科書』、インプレスR&D、2008年4月1日、p.124-129、p.267-272」。
ペアリング候補の項目には、ペアの候補とされたものについては「１」、ペアの候補とされていないものについては「０」が書き込まれる。
【００２９】
図１に戻り、ＧＩＤ管理部２４は、マルチユーザ伝送を行う際に同時に送信を行う無線ＬＡＮ端末装置５０の候補の選択を行い、選択した候補の中で実際に同時に送信を行う無線ＬＡＮ端末装置５０の組み合わせ、すなわちグループ化を行う。ＧＩＤ管理部２４は、新たにグループを生成した場合、ＧＩＤを生成して付与するとともに無線ＬＡＮ端末装置５０にＰＯＳ（ポジション）情報を付与し、生成したＧＩＤとそのＧＩＤのグループに属する無線ＬＡＮ端末装置５０のＰＯＳ情報及びＭＡＣアドレスをＧＩＤ記憶部２５に書き込む。また、ＧＩＤ管理部２４は、ＧＩＤに対応する無線ＬＡＮ端末装置５０にＧＩＤ及びＰＯＳ情報を通知する信号を生成して送信キュー部２０に出力し、無線ＬＡＮ端末装置５０に送信する。
【００３０】
図４は、ＧＩＤ記憶部２５が記憶するデータのデータ構成を示す図である。同図に示すように、ＧＩＤ記憶部２５は、ＧＩＤと、ＰＯＳ情報と、端末ＭＡＣアドレスの項目を有する。ＧＩＤの項目には、ＧＩＤ管理部２４が生成したＧＩＤが書き込まれる。ＰＯＳ情報には、ＧＩＤが示すグループに属する無線ＬＡＮ端末装置５０にＧＩＤ管理部２４が付与したＰＯＳ情報が書き込まれ、端末ＭＡＣアドレスの項目には、ＧＩＤが示すグループに属し、ＰＯＳ情報が付与された無線ＬＡＮ端末装置５０のＭＡＣアドレスが書き込まれる。
【００３１】
図１に戻り、端末情報管理部２６は、無線ＬＡＮアクセスポイント装置１に無線による接続を許可されている無線ＬＡＮ端末装置５０に関する情報を、端末情報記憶部２７に書き込む。つまり、端末情報管理部２６は、受信パケット処理部１５から受けたＡｓｓｏｃｉａｔｉｏｎ  Ｒｅｑｕｅｓｔ信号に含まれる無線ＬＡＮ端末装置５０の送信能力、使用可能伝送速度、優先度、アドミッション可否、およびアグリゲーション可否を示す情報を、Ａｓｓｏｃｉａｔｉｏｎ  Ｒｅｑｕｅｓｔ信号の送信元である無線ＬＡＮ端末装置５０のＭＡＣアドレスに対応づけて端末情報記憶部２７に書き込む。また、端末情報管理部２６は、無線ＬＡＮ端末装置５０との間の無線通信で実際に使用する伝送速度を無線ＬＡＮ端末装置５０のＭＡＣアドレスに対応づけて端末情報記憶部２７に書き込む。
【００３２】
図５は、端末情報記憶部２７が記憶する伝送速度に関するデータのデータ構成を示す図である。同図に示すように、端末情報記憶部２７が記憶する伝送速度に関するデータは、端末ＭＡＣアドレス、使用可能伝送速度、無線区間伝送速度（シングル）、無線区間伝送速度（マルチ）の項目を有する。
端末ＭＡＣアドレスの項目には、無線による無線ＬＡＮアクセスポイント装置１への接続が許可されている無線ＬＡＮ端末装置５０のＭＡＣアドレスが書き込まれる。
使用可能伝送速度の項目は、無線ＬＡＮ端末装置５０が能力として有する伝送速度が書き込まれる項目である。この項目には、Ａｓｓｏｃｉａｔｉｏｎ  Ｒｅｑｕｅｓｔ信号の送信能力の項目に含まれる伝送速度を示す情報であるＭＣＳ(Modulation and Coding Scheme：変調及び符号化方式)のインデックス番号とＮｓｓ(the number of spatial streams)が示す空間ストリーム数などの情報に基づいて予め定められた仕様から一意に導き出される伝送速度が書き込まれる。
無線区間伝送速度（シングル）の項目は、無線ＬＡＮアクセスポイント装置１と無線ＬＡＮ端末装置５０の間で一対一通信の場合に実際に使用される伝送速度が書き込まれる項目である。この使用される伝送速度は、無線ＬＡＮ端末装置５０が能力として有する伝送速度の範囲内で決定される。なお、過去に無線ＬＡＮ端末装置５０との通信が成功したときの無線区間伝送速度に基づいて設定されてもよい。
無線区間伝送速度（マルチ）の項目は、一対多通信の場合、すなわちマルチユーザ伝送の際の伝送速度が書き込まれる項目である。この項目には、無線区間伝送速度（シングル）の項目に書き込まれた値に基づいて端末情報管理部２６が予め定められた式によって算出した値が書き込まれる。マルチユーザ伝送時に使用する無線区間の伝送速度は、シングルユーザ伝送時の伝送速度と同じ場合もあるが、一般的には小さくなる。例えば、無線ＬＡＮアクセスポイント装置１からの送信電力がシングルユーザ伝送時とマルチユーザ伝送時で一定である場合に、４ユーザを同時に伝送するときには、各フローあたりの送信電力が１／４となる。したがって、このときに利用する伝送速度（MCS & Nss）は、シングルユーザ伝送時と比較して、ＳＮ（Signal to Noise）比で６ｄＢ低くても同じ品質、例えば、長さ１０００バイトのパケットを送った場合のパケット誤り率が同じ品質になるものを達成できるものが選択されることになる。そのため、シングルユーザ伝送時の伝送速度よりも小さい速度が選択されることになる。
【００３３】
図１に戻り、中継処理部２９は、受信パケット処理部１５またはネットワークインタフェース部３０から出力された信号のＩＰアドレスを参照し、内部に記憶している経路情報にしたがって、当該信号を出力する。中継処理部２９は、有線ネットワーク４０側に送信する場合、ネットワークインタフェース部３０に信号を出力し、無線ＬＡＮ端末装置５０−１〜５０−Ｎのいずれかに送信する場合、送信キュー部２０に信号を出力する。
ネットワークインタフェース部３０は、有線ネットワーク４０に接続し、中継処理部２９から出力された信号を有線ネットワーク４０を通じて宛先の装置に送信し、また逆に、有線ネットワーク４０から信号を受信した場合、中継処理部２９に出力する。
【００３４】
図２は、無線ＬＡＮ端末装置５０の内部構成を示すブロック図である。無線ＬＡＮ端末装置５０は、無線アンテナ５１、無線送受信処理部５２、無線ＬＡＮアクセス制御部５４、上位層プロトコル処理部６５を備える。
【００３５】
無線送受信処理部５２は、無線アンテナ５１に接続される。無線送受信処理部５２は、信号処理部５３を有しており、無線アンテナ５１を通じて、無線ＬＡＮアクセスポイント装置１と無線による情報の送受信を行う。無線送受信処理部５２において、信号処理部５３は、ＭＵ−ＭＩＭＯまたはＯＦＤＭＡといったマルチユーザ伝送方式に基づいて送受信する信号を符号化および復号化するなどの変換処理を行う。
【００３６】
無線ＬＡＮアクセス制御部５４は、プロトコル処理部５５、送信キュー部５８、アドミッション制御部５９、アドミッション情報記憶部６０、ビーコン処理部６１、ビーコン情報記憶部６２、ＧＩＤ管理部６３、ＧＩＤ記憶部６４を備える。
【００３７】
無線ＬＡＮアクセス制御部５４において、プロトコル処理部５５は、アクセス制御部５６と、受信パケット処理部５７を備える。
アクセス制御部５６は、ＭＡＣ層の送信に関する処理を行い、Ａｓｓｏｃｉａｔｉｏｎ  Ｒｅｑｕｅｓｔ信号の送信、またはＴＳＰＥＣの情報を含むＡＤＤＴＳ．Ｒｅｑｕｅｓｔ信号の送信や、上位層プロトコル処理部６５により生成された他の通信装置に対する情報の送信を行う。
受信パケット処理部５７は、無線アンテナ５１を通じて受信され信号処理部５３により復号処理された信号に対してＭＡＣ層の受信に関する処理を行う。また、受信パケット処理部５７は、受信した信号がビーコン信号、またはＡＤＤＴＳ．Ｒｅｓｐｏｎｓｅ信号の場合、それぞれ、ビーコン処理部６１とアドミッション制御部５９にこれらの信号を出力する。また、受信パケット処理部５７は、受信した信号が上位層プロトコル処理部６５に対する情報を含む場合、上位層プロトコル処理部６５に当該情報を出力する。
【００３８】
ビーコン処理部６１は、ビーコン信号を受信した場合、受信したビーコン信号から無線ＬＡＮアクセスポイント装置１の送信能力、優先度、アドミッション可否、およびアグリゲーション可否を示す情報を取得してビーコン情報記憶部６２に記憶する。
アドミッション制御部５９は、ＴＳＩＤを生成し、当該ＴＳＩＤに対応づけて通信の品質制御を要求するＴＳＰＥＣの情報を生成し、生成したＴＳＰＥＣの情報を含むＡＤＤＴＳ．Ｒｅｑｕｅｓｔ信号を生成して送信キュー部５８に出力する。また、アドミッション制御部５９は、生成したＴＳＰＥＣの情報をアドミッション情報記憶部６０に書き込む。なお、ＴＳＰＥＣの情報を生成するのに必要な情報は、アドミッション情報記憶部６０に予め記憶され、それを参照するようにしてもよいし、上位層プロトコル処理部６５が通信の開始の際に出力する通信品質の要求を示す情報を参照するようにしてもよい。また、アドミッション制御部５９は、ＡＤＤＴＳ．Ｒｅｓｐｏｎｓｅ信号を受信した場合に、当該信号に含まれる受付処理の結果が受け付けられたことを示している場合、受け付けられたことを示す情報を既に記憶されているＴＳＰＥＣの情報に対応付けてアドミッション情報記憶部６０に書き込む。また、アドミッション制御部５９は、受付処理の結果が受け付けられなかったことを示している場合、当該受付処理に対応するＴＳＰＥＣの情報をアドミッション情報記憶部６０から削除する。
【００３９】
送信キュー部５８は、無線ＬＡＮアクセスポイント装置１に送信するデータを蓄積する送信バッファであり、優先度付けされたキューごとに送信するデータを蓄積し、優先度にしたがってアクセス制御部５６に出力する。
ＧＩＤ管理部６３は、無線ＬＡＮアクセスポイント装置１からＧＩＤ及びＰＯＳ情報を含む信号を受信し、受信したＧＩＤ及びＰＯＳ情報をＧＩＤ記憶部６４に書き込む。マルチユーザ伝送の際は、受信パケット処理部５７が、ＧＩＤ記憶部６４に記憶されているＧＩＤ及びＰＯＳ情報を参照して、自装置宛の通信を選択する。
【００４０】
上位層プロトコル処理部６５は、例えば、ＭＡＣ層より上のＩＰ(Internet Protocol)層やＴＣＰ(Transmission Control Protocol)またはＵＤＰ(User Datagram Protocol)層を含むアプリケーションプログラムの部分であり、情報の入出力を行うとともに、通信の開始及び終了、並びにデータの送受信の要求を無線ＬＡＮアクセス制御部５４に対して行う。
なお、本実施形態では、無線ＬＡＮ端末装置５０−１〜５０−Ｎのうち、一部は、アドミッション制御の機能を有さないものがあり、それらの装置については、アドミッション制御部５９とアドミッション情報記憶部６０を備えないことになる。
【００４１】
（情報取得処理）
次に、図６及び図７を参照しつつ図３と図５に示したフロー情報記憶部２３と端末情報記憶部２７に記憶される情報が取得される手順について説明する。
【００４２】
図６は、無線通信システム１００における受付制御の処理を示す図である。同図において、最初に、無線ＬＡＮアクセスポイント装置１のアクセス制御部１６が、ビーコン信号を送信キュー部２０に出力する。ビーコン信号は、送信キュー部２０にバッファリングされた後、プロトコル処理部１４、無線送受信処理部１１を経て無線アンテナ１０−１〜１０−Ｍを通じて全ての無線ＬＡＮ端末装置５０−１〜５０−Ｎに送信される。このビーコン信号には、送信能力、使用可能伝送速度、優先度、アドミッション可否の情報が含まれている。また、このビーコン信号により、ＥＤＣＡ（Enhanced Distributed Channel Access）パラメータセットという情報要素の中に含まれ、通信品質の保証を行うアドミッション制御の必要性を通知するＡＣＭ（Admission Control Mandatory）ビットを用いて、上位２つの優先度に対して受付制御を行う旨を全ての無線ＬＡＮ端末装置５０−１〜５０−Ｎに通知を行う（ステップＳａ１）。無線ＬＡＮ端末装置５０のビーコン処理部６１は、無線アンテナ５１、無線送受信処理部５２、及びプロトコル処理部５５を通じてビーコン信号を受信する。ビーコン処理部６１は、ビーコン信号に設定されている無線ＬＡＮアクセスポイント装置１の情報をビーコン情報記憶部６２に書き込む。
【００４３】
無線ＬＡＮ端末装置５０のアクセス制御部５６は、ステップＳａ１で受信したビーコン信号から得た無線ＬＡＮアクセスポイント装置１のアドレス宛に、接続開始要求としてＡｓｓｏｃｉａｔｉｏｎ  Ｒｅｑｕｅｓｔ信号を生成し、送信キュー部５８に出力する。Ａｓｓｏｃｉａｔｉｏｎ  Ｒｅｑｕｅｓｔ信号には、無線ＬＡＮ端末装置５０の送信能力、使用可能伝送速度、優先度、アドミッション可否、アグリゲーション可否などを示す情報が設定される。Ａｓｓｏｃｉａｔｉｏｎ  Ｒｅｑｕｅｓｔ信号は、送信キュー部５８にバッファリングされた後、プロトコル処理部５５、無線送受信処理部５２を経て無線アンテナ５１を通じて無線ＬＡＮアクセスポイント装置１に送信される（ステップＳａ２）。
【００４４】
無線ＬＡＮアクセスポイント装置１の受信パケット処理部１５は、Ａｓｓｏｃｉａｔｉｏｎ  Ｒｅｑｕｅｓｔ信号を受信すると、受信したＡｓｓｏｃｉａｔｉｏｎ  Ｒｅｑｕｅｓｔ信号を端末情報管理部２６に出力する。アクセス処理部１６において、受信したｓｓｏｃｉａｔｉｏｎ  Ｒｅｑｕｅｓｔに基づいて無線ＬＡＮ端末装置５０との接続開始が可能と判断された場合、端末情報管理部２６は、端末情報記憶部２７に端末ＭＡＣアドレスの項目を１つ生成してＭＡＣアドレスを書き込むと共に、Ａｓｓｏｃｉａｔｉｏｎ  Ｒｅｑｕｅｓｔ信号に設定されている送信能力、使用可能伝送速度、優先度、アドミッション可否、およびアグリゲーション可否を示す情報を書き込む。このとき、端末情報管理部２６は、Ａｓｓｏｃｉａｔｉｏｎ  Ｒｅｓｐｏｎｓｅ信号に送信能力として設定されている伝送速度を、使用可能伝送速度の項目に書き込む。アクセス制御部１６はＡｓｓｏｃｉａｔｉｏｎ  Ｒｅｑｕｅｓｔ信号の応答信号としてＡｓｓｏｃｉａｔｉｏｎ  Ｒｅｓｐｏｎｓｅ信号を生成する。Ａｓｓｏｃｉａｔｉｏｎ  Ｒｅｓｐｏｎｓｅ信号は、送信キュー部２０にバッファリングされた後、プロトコル処理部１４、無線送受信処理部１１を経てＡｓｓｏｃｉａｔｉｏｎ  Ｒｅｑｕｅｓｔ信号の送信元である無線ＬＡＮ端末装置５０に送信される（ステップＳａ３）。
一方、端末情報管理部２６は、Ａｓｓｏｃｉａｔｉｏｎ  Ｒｅｑｕｅｓｔ信号から取得した無線ＬＡＮ端末装置５０のＭＡＣアドレスをフロー情報管理部２２に出力する。フロー情報管理部２２は、フロー情報記憶部２３に端末ＭＡＣアドレスの項目を１つ生成して、端末情報管理部２６が出力したＭＡＣアドレスを書き込む。このとき、フロー情報管理部２２は、ＡＤＤＴＳ．Ｒｅｑｕｅｓｔ受付状態の項目とペアリング候補の項目には、初期値の「０」を書き込み、それ以外の項目には、情報が書き込まれていないことを示す「−」を書き込む（ステップＳａ４）。
【００４５】
次に、無線ＬＡＮ端末装置５０の上位層プロトコル処理部６５において上述した上位２つの優先度のいずれかによる通信の品質の保証を要求する処理が発生する（ステップＳｂ１）。上位層プロトコル処理部６５が、無線ＬＡＮアクセス制御部５４に要求を出力すると、アドミッション制御部５９は、ＴＳＩＤを生成し、生成したＴＳＩＤと、上位層プロトコル処理部６５からの要求やアドミッション情報記憶部６０に記憶されている情報とに基づいて、ＴＳＰＥＣの情報要素を生成する。アドミッション制御部５９は、生成したＴＳＰＥＣの情報を含むＡＤＤＴＳ．Ｒｅｑｕｅｓｔの信号を送信キュー部５８に出力して無線ＬＡＮアクセスポイント装置１に送信する（ステップＳｂ２）。
【００４６】
無線ＬＡＮアクセスポイント装置１のアドミッション制御部１７は、ＡＤＤＴＳ．Ｒｅｑｕｅｓｔ信号を受信し、受信したＡＤＤＴＳ．Ｒｅｑｕｅｓｔ信号に含まれるＴＳＰＥＣの情報などのトラフィックの情報に基づいてチャネル空き容量計算などを行い、受け付けるか否かの判定を行う（ステップＳｂ３）。このとき、アドミッション制御部１７は、計時部２８からＡＤＤＴＳ．Ｒｅｑｅｓｔを受信した時刻を取得する。アドミッション制御部１７は、要求された通信を受け付けると判定した場合、トラフィックの情報をアドミッション情報記憶部１８に、要求してきた無線ＬＡＮ端末装置５０のＭＡＣアドレスに対応付けて書き込むとともにＭＡＣアドレスとトラフィックの情報に含まれるＴＳＰＥＣの情報と取得した時刻の情報を情報管理部２１に出力する。
情報管理部２１のフロー情報管理部２２は、アドミッション制御部１７が無線ＬＡＮ端末装置５０のＡＤＤＴＳ．Ｒｅｑｅｓｔを受け付けると判定した場合にアドミッション制御部１７から受けたＴＳＰＥＣの情報と時刻の情報に基づいて、当該ＴＳＰＥＣの情報を送信してきた無線ＬＡＮ端末装置５０のＭＡＣアドレスに対応する列において、ＡＤＤＴＳ．Ｒｅｑｕｅｓｔ受付状態の項目に「１」を書き込み、ＡＤＤＴＳ．Ｒｅｑｕｅｓｔ受付時刻の項目にアドミッション制御部１７から受けた時刻の情報を書き込む。また、ＴＳＩＤから優先度までの項目には、フロー情報管理部２２が、ＴＳＰＥＣの情報からそれぞれの項目に対応する情報を選択し、選択した情報を書き込む。次に、アドミッション制御部１７は、受け付けたか否かの判定の結果を含めたＡＤＤＴＳ．Ｒｅｓｐｏｎｓｅ信号を生成し、生成したＡＤＤＴＳ．Ｒｅｓｐｏｎｓｅ信号を、要求を送信してきた無線ＬＡＮ端末装置５０に送信する（ステップＳｂ４）。
【００４７】
無線ＬＡＮ端末装置５０のアドミッション制御部５９は、ＡＤＤＴＳ．Ｒｅｓｐｏｎｓｅ信号を受信すると、受信した信号に含まれる受付の可否を示す情報をアドミッション情報記憶部６０に書き込む。その後、無線ＬＡＮアクセスポイント装置１において、フロー情報記憶部２３に記憶されている情報に基づき、マルチユーザ伝送を行う際に同時に送信する対象となる無線ＬＡＮ端末装置５０のペアリング候補の選択とペアの生成が行われ（ステップＳｂ５）、無線ＬＡＮアクセスポイント装置１からマルチユーザ伝送による送信が行われる（ステップＳｂ６）。なお、上述したアドミッション制御部５９とアドミッション情報記憶部６０を備えていない無線ＬＡＮ端末装置５０については、ステップＳｂ２からＳｂ４の処理は行われないため、ＡＤＤＴＳ．Ｒｅｑｕｅｓｔ受付状態及び受付時刻の項目と、ＴＳＰＥＣの情報に基づいて書き込まれるＴＳＩＤから優先度までの情報は、フロー情報記憶部２３において書き込まれないことになる。
【００４８】
なお、上記の処理において、上記の図３のフロー情報記憶部２３と図５の端末情報記憶部２７の端末ＭＡＣアドレスの項目は、Ａｓｓｏｃｉａｔｉｏｎ  Ｒｅｑｕｅｓｔ信号の受信に応じて、それぞれフロー情報管理部２２と端末情報管理部２６によって書き込まれる情報としている。しかし、本発明は、当該構成に限られるものではなく、無線ＬＡＮアクセスポイント装置１の運営者の操作により、接続を許可する無線ＬＡＮ端末装置５０のＭＡＣアドレスのみが予め書き込まれ、Ａｓｓｏｃｉａｔｉｏｎ  Ｒｅｑｕｅｓｔ信号の受信に応じて書き込まれず、接続を許可する無線ＬＡＮ端末装置５０の数が予め定められるような構成であってもよい。
【００４９】
図７は、統計情報取得部１９によるフロー情報記憶部２３に記憶される情報の取得手順を説明するための図である。図７に示すブロック図は、無線ＬＡＮアクセスポイント装置１におけるプロトコルスタックの状態を示しており、ネットワークインタフェース部３０側から無線ＬＡＮ端末装置５０への送信の場合、ネットワークインタフェース部３０から上位層の中継処理部２９に送信パケットが送られ、中継処理部２９で、経路が選択され、下位のＭＡＣ層のアクセス制御部１６に送られ、さらに、下位の物理層の無線送受信処理部１１に送られ無線ＬＡＮ端末装置５０に送信される。統計情報取得部１９は、中継処理部２９からＭＡＣ層のアクセス制御部１６に送られる送信パケットを参照する。
【００５０】
具体的には、図１において中継処理部２９から出力され送信キュー部２０に蓄積される送信パケットのうち、データフレームの送信パケットを参照する。統計情報取得部１９は、このデータフレームの送信パケットから、中継処理部２９からアクセス制御部１６に対するパケットの送信要求のメッセージであるＭＡ−ＵＮＩＴＤＡＴＡ．ｒｅｑｕｅｓｔプリミティブ信号を検出する。統計情報取得部１９は、検出したＭＡ−ＵＮＩＴＤＡＴＡ．ｒｅｑｕｅｓｔプリミティブ信号の送信先のＭＡＣアドレスと一致するＭＡＣアドレスを有する列をフロー情報記憶部２３から検出し、さらに、検出した列の中でＡＤＤＴＳ．Ｒｅｑｕｅｓｔ受付状態が「０」となっている列を検出する。そして、統計情報取得部１９は、検出した列の平均ＭＳＤＵサイズの項目と優先度の項目に、ＭＡ−ＵＮＩＴＤＡＴＡ．ｒｅｑｕｅｓｔプリミティブ信号のデータの項目と優先度の項目から読み出した情報を書き込む。また、統計情報取得部１９は、送信キュー部２０に蓄積される送信パケットのパケット長をＭＡＣアドレスごとに収集し、ＭＡＣアドレスごとに平均パケット長を算出し、算出した平均パケット長により、端末情報記憶部２７の無線区間伝送速度（シングル）の項目に記憶されている伝送速度を除算してデータ到達間隔を算出する。統計情報取得部１９は、算出したデータ到達間隔に対応するＭＡＣアドレスに一致するＭＡＣアドレスを有する列をフロー情報記憶部２３から検出し、検出した列のＡＤＤＴＳ．Ｒｅｑｕｅｓｔ受付状態が「０」となっている場合、算出した値をデータ到達間隔の項目に書き込む。また、統計情報取得部１９は、送信キュー部２０に蓄積される送信パケットのアグリゲーションの数を送信先のＭＡＣアドレスごとにパケットのヘッダを参照して収集し、収集したアグリゲーション数をフロー情報記憶部２３の対応するＭＡＣアドレスの列のアグリゲーション数の項目に書き込む。
【００５１】
なお、無線ＬＡＮアクセスポイント装置１は、無線ＬＡＮ端末装置５０との間で従来技術と同様の手順により無線通信を行い、端末情報記憶部２７に記憶されている使用可能伝送速度の範囲内で、無線ＬＡＮ端末装置５０が要求したトラフィックや無線区間の状態（例えば、信号強度やノイズの状況）などに応じて、一対一通信の場合に実際に使用される伝送速度を決定する。無線ＬＡＮアクセスポイント装置１の端末情報管理部２６は、プロトコル処理部１４から無線ＬＡＮ端末装置５０のＭＡＣアドレスと、決定した伝送速度の通知を受ける。端末情報管理部２６は、通知されたＭＡＣアドレスに対応付けて、端末情報記憶部２７の無線区間伝送速度（シングル）の項目に、通知された伝送速度を書込む。さらに、端末情報管理部２６は、無線区間伝送速度（シングル）の項目に書き込んだ伝送速度と予め定められる式に基づいてマルチユーザ伝送時の伝送速度を算出し、算出した値を無線区間伝送速度（マルチ）の項目に書き込む。
【００５２】
（ペアリング候補を選択する処理）
次に、図８から図１０を参照して本実施形態によるマルチユーザ伝送時に同時に送信データを送信する対象となる無線ＬＡＮ端末装置５０のペアリング候補、すなわち組み合わせを行う際の候補を選択し、候補の中から無線ＬＡＮ端末装置５０の組み合わせを生成する手順について説明する。
【００５３】
図８は、ペアリングの候補を選択する処理を示したフローチャートである。無線ＬＡＮアクセスポイント装置１のＧＩＤ管理部２４は、フロー情報管理部２２を通じてフロー情報記憶部２３を参照し、処理対象の列を１つ選択する（ステップＳｃ１）。ＧＩＤ管理部２４は、選択している列のＡＤＤＴＳ．Ｒｅｑｕｅｓｔ受付状態の項目の情報を参照し、ＡＤＤＴＳ．Ｒｅｑｕｅｓｔの受信によりアドミッション制御部１７がフローを受け付けているか否かを判定する（ステップＳｃ２）。ＧＩＤ管理部２４は、アドミッション制御部１７がフローを受け付けていると判定した場合（ステップＳｃ２：ＹＥＳ）、すなわちＡＤＤＴＳ．Ｒｅｑｕｅｓｔ受付状態の項目の値が「１」の列については、当該列のＭＡＣアドレスに対応する端末情報記憶部２７の無線区間伝送速度（シングル）の項目の情報を読み出す。ＧＩＤ管理部２４は、読み出した伝送速度がＲｆｐ以上であるか否かを判定する（ステップＳｃ３）。無線区間伝送速度（シングル）の項目の設定値は、選択している列のフローの無線ＬＡＮ端末装置５０に対し、無線ＬＡＮアクセスポイント装置１がある時点でデータフレームを送信する際の無線区間伝送速度を示す。なお、Ｒｆｐの値は、例えば、選択している列のフローについて統計情報取得部１９が取得した過去のパケット到着間隔やサイズなどから算出されるデータレートにより決定される。
【００５４】
ＧＩＤ管理部２４は、読み出した伝送速度がＲｆｐ以上でない場合（ステップＳｃ３：ＮＯ）、ステップＳｃ９に進む。一方、ＧＩＤ管理部は、読み出した伝送速度がＲｆｐ以上の場合（ステップＳｃ３：ＹＥＳ）、判定の対象のフロー情報記憶部２３の列のＭＡＣアドレスに対応する端末情報記憶部２７の無線区間伝送速度（マルチ）の値を読み出す。ＧＩＤ管理部２４は、読み出したマルチユーザ伝送時の伝送速度が、判定の対象のフロー情報記憶部２３の列の平均データレートの項目、すなわちアドミッション制御における要求帯域の値を満たしているか、例えば、読み出したマルチユーザ伝送の際の伝送速度が、要求帯域を超えているか否かを判定する（ステップＳｃ４）。ＧＩＤ管理部２４は、マルチユーザ伝送時の伝送速度が要求帯域を満たさないと判定した場合（ステップＳｃ４：ＮＯ）、ステップＳｃ９に進む。一方、ＧＩＤ管理部２４は、マルチユーザ伝送時の伝送速度が要求帯域を満たしていると判定した場合（ステップＳｃ４：ＹＥＳ）、判定の対象の列のフローをペアリングの候補として、フロー情報記憶部２３のペアリング候補の項目に「１」を書き込み（ステップＳｃ８）、ステップＳｃ９に進む。
【００５５】
一方、ステップＳｃ２において、ＧＩＤ管理部２４は、アドミッション制御部１７がフローを受け付けていないと判定した場合（ステップＳｃ２：ＮＯ）、すなわちＡＤＤＴＳ．Ｒｅｑｕｅｓｔ受付状態の項目の値が「０」の列については、当該列のＭＡＣアドレスに対応する端末情報記憶部２７の無線区間伝送速度（シングル）の項目の情報を読み出す。ＧＩＤ管理部２４は、読み出した伝送速度がＲｆｐ以上であるか否かを判定する（ステップＳｃ５）。ＧＩＤ管理部２４は、読み出した伝送速度がＲｆｐ以上でない場合（ステップＳｃ５：ＮＯ）、ステップＳｃ９に進む。
【００５６】
一方、ＧＩＤ管理部２４は、読み出した伝送速度がＲｆｐ以上の場合（ステップＳｃ５：ＹＥＳ）、読み出した伝送速度に対応するＭＡＣアドレスを送信先とする送信キュー部２０に蓄積されているデータ量を統計情報取得部１９を通じて取得し、取得したデータ量がＬｐｔを超えているか否かを判定する（ステップＳｃ６）。なお、Ｌｐｔは、無線ＬＡＮアクセスポイント装置１の運営者により、ある時点でのトラヒックの状態や無線ＬＡＮアクセスポイント装置１の性能によって任意に設定されてもよいし、ある時点のトラヒックの状態や無線ＬＡＮアクセスポイント装置１の性能を示す情報に基づいて、予め定められた式によりＧＩＤ管理部２４が演算して算出したものであってもよい。ＧＩＤ管理部２４は、データ量がＬｐｔを超えていると判定した場合（ステップＳｃ６：ＹＥＳ）、判定の対象の列の無線ＬＡＮ端末装置５０をペアリングの候補として、フロー情報記憶部２３の当該列のペアリング候補の項目に「１」を書き込み（ステップＳｃ８）、ステップＳｃ９に進む。
【００５７】
一方、ＧＩＤ管理部２４は、データ量がＬｐｔを超えていないと判定した場合（ステップＳｃ６：ＮＯ）、既にペアリングの候補とされているもの、すなわちフロー情報記憶部２３のペアリング候補の項目に「１」が書き込まれている列のフローまたは無線ＬＡＮ端末装置５０と特徴が一致するか否かを判定する（ステップＳｃ７）。ここで、特徴が一致する場合とは、例えば、平均ＭＳＤＵサイズの項目の値が十分に近い値である場合、または、最小サービス間隔または最大サービス間隔の項目の値とデータ到達間隔の項目の値が十分近い値である場合、または、最小サービス間隔及び最大サービス間隔から導き出されるデータ到達間隔の値と、データ到達間隔の項目の値が十分近い値である場合である。ＧＩＤ管理部２４は、特徴が一致すると判定した場合（ステップＳｃ７：ＹＥＳ）、判定の対象としているフロー情報記憶部２３の列のペアリング候補の項目に「１」を書き込んで（ステップＳｃ８）、ステップＳｃ９に進み、特徴が一致しないと判定した場合（ステップＳｃ７：ＮＯ）、そのままステップＳｃ９に進む。
【００５８】
ステップＳｃ９において、ＧＩＤ管理部２４は、全ての列について判定を行ったか否かを判定する。ＧＩＤ管理部２４は、全ての列について判定が終了していない場合（ステップＳｃ９：ＮＯ）、ステップＳｃ１に進み、全ての列について判定が終了している場合（ステップＳｃ９：ＹＥＳ）、ペアリング候補を選択する処理を終了する。
【００５９】
上記の処理により、アドミッション制御処理の受付処理により受け付けられている場合、すなわち通信品質が保証されている場合に、伝送速度がＲｆｐ以上の伝送速度を有するフローをペアリングの候補として選択している。よって、ペアリングの候補を充分な送信データ量を有すると推定されるフローに絞ることができる。
また、通信品質が保証されている場合に、マルチユーザ伝送の際の伝送速度が要求帯域を満たしているフローをペアリングの候補としている。よって、マルチユーザ伝送時に、送信データを生成するアプリケーションプログラムにおいてシングルユーザ伝送時に保証されていた通信品質を維持することが可能となる。
また、通信品質が保証されていない場合に、伝送速度がＲｆｐ以上という条件に加えて、送信キュー部２０に蓄積されている送信データ量がＬｐｔを超えている無線ＬＡＮ端末装置５０への送信をペアリングの候補として選択している。よって、ペアリングの候補を現実に充分な送信データ量を有する送信に絞ることができる。
さらに、また、通信品質が保証されていない場合に、伝送速度がＲｆｐ以上という条件に加えて、既にペアリングの候補とされているものと特徴が一致する無線ＬＡＮ端末装置５０への送信をペアリングの候補として選択している。よって、同様にペアリングの候補を充分な送信データ量を有すると推定される送信に絞ることができる。
これにより、マルチユーザ伝送を行う際の候補として、送信の際に送信キュー部２０に送信データが存在する確率の高い無線ＬＡＮ端末装置５０への送信に絞ることが可能となる。
【００６０】
なお、上記のステップＳｃ３とＳｃ５の処理において端末情報記憶部２７に記憶されている無線区間伝送速度（シングル）の項目に記憶されている伝送速度とＲｆｐを比較するようにしているが、無線区間伝送速度（マルチ）の項目に記憶されている伝送速度とＲｆｐを比較するようにしてもよい。
また、上記のステップＳｃ３、Ｓｃ５、Ｓｃ６において、Ｒｆｐ以上であるか否か、Ｌｐｔを超えているか否かという判定を行っているが、数値の境界の判定は一例として示したものであり、設定したＲｆｐやＬｐｔの数値によって、判定の基準は、以上、以下、未満、超過など任意に定められるものとする。
【００６１】
（送信データの周期に基づくペア生成の処理）
図９及び図１０は、図８のペアリング候補を選択する処理の後、候補の中から実際にマルチユーザ伝送を行う際に同時に送信する対象となる無線ＬＡＮ端末装置５０のペアを生成し、さらに、生成したペアによって形成される複数の無線ＬＡＮ端末装置５０の組み合わせ、すなわちグループを生成する処理を示したフローチャートである。
【００６２】
図９は、送信データの周期に基づいて、各々の無線ＬＡＮ端末装置５０をマルチユーザ伝送する際に同時に送信する対象にするか否かを判定する処理である。ＧＩＤ管理部２４は、ペアリング候補の項目に「１」が書き込まれている列を２つ選択し、最小サービス間隔及び最大サービス間隔、またはデータ到達間隔の項目の値に基づいて、データを送信する周期を算出する（ステップＳｄ１１）。ＧＩＤ管理部２４は、選択した２つの列の算出した周期の差が一定範囲以内の値か否かを判定する（ステップＳｄ１２）。選択した２つの列の算出した周期の差が一定範囲以内の値でない場合（ステップＳｄ１２：ＮＯ）、ステップＳｄ１４の処理に進む。一方、選択した２つの列の算出した周期の差が一定範囲以内の値である場合（ステップＳｄ１２：ＹＥＳ）、ＧＩＤ管理部２４は、ＧＩＤ記憶部２５に１つＧＩＤのレコードを生成し、生成したレコードの端末ＭＡＣアドレスに選択した２つの列のＭＡＣアドレスと、割り当てたＰＯＳ情報とを書き込み（ステップＳｄ１３）、ステップＳｄ１４の処理に進む。
【００６３】
ＧＩＤ管理部２４は、全てのペアを判定したか否かを判定する（ステップＳｄ１４）。全てのペアを判定している場合、ＧＩＤ管理部２４は、非特許文献２に規定されるグループ管理手順にしたがって、ＧＩＤ記憶部２５に記憶されているＭＡＣアドレスの各無線ＬＡＮ端末装置５０にそれぞれのＧＩＤ及びＰＯＳ情報を通知する（ステップＳｄ１５）。その後、無線ＬＡＮアクセスポイント装置１は、マルチユーザ伝送に必要なＣｈａｎｎｅｌ  Ｓｔａｔｅなどの情報を取得しつつ、マルチユーザ伝送を行う。
【００６４】
なお、上記の処理において、算出した周期の差により判定を行っているが、最小サービス間隔及び最大サービス間隔の値を有する２つの列が判定の対象である場合、最小サービス間隔、または最大サービス間隔のいずれか一方をそのまま用いて、それらの差が一定範囲内にあるか否かにより判定するようにしてもよい。また、最小サービス間隔と最大サービス間隔の両方を用いてもよいし、これら２つあるいは一方の値に基づいて求められる値を用いて判定するようにしてもよい。また、データ到達間隔の値を有する２つの列が判定の対象の場合、データ到達間隔の差が一定範囲内にあるか否かにより判定するようにしてもよい。また、周期ではなく、最小サービス間隔及び最大サービス間隔からデータ到達間隔を求めて、データ到達間隔に基づいて判定するようにしてもよい。また、一方の列が最小サービス間隔及び最大サービス間隔の値を有し、他方の列がデータ到達間隔の値を有する場合、最小サービス間隔、または最大サービス間隔と、データ到達間隔との差が一定範囲内にあるか否かにより判定するようにしてもよい。
【００６５】
（送信データの時間長に基づくペア生成の処理）
図１０は、送信データの時間長に基づいてマルチユーザ伝送する際に同時に送信する組み合わせにするか否かを判定してペアの生成を行う処理である。ＧＩＤ管理部２４は、ペアリング候補の項目に「１」が書き込まれている列を２つ選択し、それぞれの列について以下の式に基づいて送信データの時間長を算出する（ステップＳｄ２１）。
【００６６】
T_Data(STA1) = PHY_Header_Time + Num_agg(STA1,N1)×(MAC_Header_Length + Frame_Body(STA1))/Data_Rate(STA1,R1) ・・・（１）
【００６７】
T_Data(STA2) = PHY_Header_Time + Num_agg(STA2,N1)×(MAC_Header_Length + Frame_Body(STA2))/Data_Rate(STA2,R1) ・・・（２）
【００６８】
上記の式（１）、及び式（２）において、STAは、Stationの略であり、本実施形態における無線ＬＡＮ端末装置を示しており、STA1は、例えば、無線ＬＡＮ端末装置５０−１であり、STA2は、無線ＬＡＮ端末装置５０−２を表す。また、式中の変数のそれぞれの意味は、以下の通りである。
【００６９】
Frame_Body (bit) ： ペイロードのビット長，
MAC_Header_Length (bit) ：ＭＡＣヘッダのビット長，
Data_Rate (Mbit/s)：使用可能なＭＣＳやＮｓｓから得られるデータレート，
PHY_Header_Time (sec) : PHY ヘッダの時間長，
Num_agg：アグリゲーション数（Num_agg = 1,2,3,・・・）であり、
Num_agg(STA1,N1)は、STA1が使用可能なアグリゲーション数のN1番目、Data_Rate(STA1,R1)は、STA1が使用可能なデータレートのR1番目を表している。なお、送信データの構成は、上述した参考文献の記載にしたがうものであり、ＩＥＥＥ８０２．１１の標準規格にしたがうものである。
【００７０】
ペイロードのビット長である、Frame_Bodyは、図３のフロー情報記憶部２３の平均ＭＳＤＵサイズ（byte）に相当し、ＧＩＤ管理部２４が、平均ＭＳＤＵサイズの値を読み出し、読み出した平均ＭＳＤＵサイズの値をビット換算してから演算に用いる。
MAC_Header_Length及びPHY_Header_Timeは、一般的には、使用する通信規格等に応じて固定値であるため、予め定められている値を用いてもよいし、統計情報取得部１９を通じて送信キュー部２０に蓄積されている実際のパケットから取得したものを端末情報記憶部２７に記憶させておき、その値をＧＩＤ管理部２４が読み出して用いるようにしてもよい。
Data_Rateは、上述したように使用可能なＭＣＳやＮｓｓから得られるデータレートであるが、R1番目という記載の通り、使用可能なＭＣＳやＮｓｓの中で変更可能な値である。使用可能なＭＣＳやＮｓｓは、規格で予め定められており、初回の演算では、端末情報記憶部２７に記憶されている使用可能伝送速度または無線区間伝送速度（シングル）の項目の値を用いてもよいし、一般的にシングルユーザ伝送よりも低速になる無線区間伝送速度（マルチ）の項目の値を初回の演算から用いてもよい。
アグリゲーション数は、初回の演算では、図３のフロー情報記憶部２３に記憶されているアグリゲーション数が用いられるが、N1番目という記載の通り、規格で定められた最大値までの間で順次変更される値である。ＧＩＤ管理部２４は、選択した２つの列について式（１）及び式（２）から送信データ時間長を算出し、算出した送信データの時間長の差を算出する。
【００７１】
ＧＩＤ管理部２４は、式（１）及び式（２）から算出した送信データの時間長の差が予め定められるεの値以内であるか否かを判定する（ステップＳｄ２２）。これを式で記載すると以下の式（３）として表される。
【００７２】
T_Data(STA1) − T_Data(STA2) < ε・・・（３）
【００７３】
ＧＩＤ管理部２４は、選択した２つの列の算出した送信データの時間長の差がε以内の値でない場合（ステップＳｄ２２：ＮＯ）、変更できるパラメータ、すなわち、Num_aggとN１とData_RateのR1のパラメータが変更可能であるか否かを判定する（ステップＳｄ２３）。変更可能なパラメータが存在すると判定した場合（ステップＳｄ２３：ＹＥＳ）、ＧＩＤ管理部２４は、パラメータを変更し、ステップＳｄ２２の判定処理に進む（ステップＳｄ２４）。例えば、このパラメータを変更の処理を行う度に、STA1のN1を、STA1が使用可能なアグリゲーション数1,2,3,…と変更し、続いてSTA2のN1を、STA1が使用可能なアグリゲーション数1,2,3,…と変更する。また、STA1のR1を、STA1が使用可能なデータレートr1,r2,…と変更し、続いてSTA2のR1を、STA2が使用可能なデータレートr1,r2,…と変更する。なお、N1とR1のいずれかのみを可変としてもよい。一方、変更できるパラメータが存在しないと判定した場合（ステップＳｄ２３：ＮＯ）、ＧＩＤ管理部２４は、ステップＳｄ２６の処理に進む。
【００７４】
ステップＳｄ２２の判定において、選択した２つの列の算出した送信データの時間長の差がε以内であると判定した場合（ステップＳｄ２２：ＹＥＳ）、ＧＩＤ管理部２４は、ＧＩＤ記憶部２５に１つＧＩＤのレコードを生成し、生成したレコードの端末ＭＡＣアドレスに選択した２つの列のＭＡＣアドレスと、割り当てたＰＯＳ情報とを書き込む（ステップＳｄ２５）。なお、アグリゲーション数を可変とした場合、ＧＩＤ管理部２４は、このとき使用したアグリゲーション数を、フロー情報記憶部２３に書き込む。
【００７５】
ＧＩＤ管理部２４は、全てのペアを判定したか否かを判定する（ステップＳｄ２６）。全てのペアを判定している場合、ＧＩＤ管理部２４は、非特許文献２に規定されるグループ管理手順にしたがって、ＧＩＤ記憶部２５に記憶されているＭＡＣアドレスの各無線ＬＡＮ端末装置５０に対して、それぞれのＧＩＤ及びＰＯＳ情報を通知する（ステップＳｄ２７）。
【００７６】
その後、無線ＬＡＮアクセスポイント装置１は、マルチユーザ伝送に必要なＣｈａｎｎｅｌ  Ｓｔａｔｅなどの情報を取得しつつ、マルチユーザ伝送を行う。つまり、アクセス制御部１６は、ＧＩＤ管理部２５に記憶されているＧＩＤのグループに属する端末ＭＡＣアドレスの組を読み出す。アクセス制御部１６は、読み出したＭＡＣアドレスをそれぞれ宛先とするデータをマルチ伝送するデータとして送信キュー部２０から取得し、ＭＡＣ層の送信に関する処理を行って信号処理部１２に出力する。なお、同じ端末ＭＡＣアドレスが複数のＧＩＤに登録されている場合は、データ送信時に送信キュー部２０に蓄積されているデータの送信時間長などに基づいて、いずれのＧＩＤを用いるかが判断される。信号処理部１２は、マルチユーザ伝送方式に基づいてデータを符号化し、無線送受信処理部１１は符号化されたデータを無線アンテナ１０−１〜１０−Ｍからマルチユーザ伝送する。
【００７７】
なお、図９のステップＳｄ１３及び図１０のステップＳｄ２５において、既に、ＧＩＤが付与されているＭＡＣアドレスと、ＧＩＤが付与されていないＭＡＣアドレスを対象として周期の差、または時間長の差が一定範囲以内の値であると判定した場合、ＧＩＤが付与されていないＭＡＣアドレスをどのように分類するか、いくつかの手法がある。例えば、ＧＩＤが付与されていないＭＡＣアドレスを、無条件に、ＧＩＤが付与されているＭＡＣアドレスと同じグループに分類してもよい。
別の手法として、例えば、ＧＩＤ＝１のグループにＭＡＣアドレスＡとＭＡＣアドレスＢが属しているとする。ＧＩＤが付与されていないＭＡＣアドレスＣが判定対象とされ、ＭＡＣアドレスＣとＭＡＣアドレスＡの周期の差、または時間長の差が一定範囲以内の値である場合には、さらに、ＭＡＣアドレスＢとＭＡＣアドレスＣの周期、または時間長の差を判定する。そして、その差が、一定範囲以内の場合に限って、ＭＡＣアドレスＣをＧＩＤ＝１のグループに加えるという手法がある。このようにすることで、より特徴が似ているもののみに絞ることができるからである。また、ＭＡＣアドレスＢとＭＡＣアドレスＣの周期、または時間長の差が一定範囲以内の値でなかった場合、ＭＡＣアドレスＡとＣについて、新たなグループを１つ生成するようにしてもよい。ＭＡＣアドレスＡが２つのグループに属し、２つのグループにおいて同時に送信されることに差し支えはないからである。
【００７８】
図１１は、本実施形態の効果を説明するための図である。同図では、一例として、３台の無線ＬＡＮ端末装置５０−１〜５０−３に同じＧＩＤが付与され、この３台に対してマルチユーザ伝送を行う場面を示している。上述したように、本実施形態におけるペアリング候補の選択を行う図８に示した処理により、送信の際に送信キュー部２０に送信データが存在する確率の高い無線ＬＡＮ端末装置５０への送信に絞ることが可能となっている。そして、図９の処理において、送信データの周期性に基づいてマルチユーザ伝送を行う際のグループを定めることにより、図１１の符号Ａで示している無線ＬＡＮアクセスポイント装置１が無線ＬＡＮ端末装置５０−１に対してデータを送信するアクセス権を取得したタイミングで、無線ＬＡＮアクセスポイント装置１の送信キュー部２０には、同時に伝送する無線ＬＡＮ端末装置５０−２や５０−３に送信するデータが高い確率で蓄積されていることになる。また、図１０の処理において、送信データの時間長に基づいてマルチユーザ伝送を行う際のグループを定めることにより、送信キュー部２０にデータフレームの時間長（データバースト長）が揃ったデータが蓄積される。そのため、図１１の符号Ｂで示すタイミングで発生するパディング処理においても、パディングを行う長さを最小限に抑えることが可能となり、その結果、周波数リソースの効率が改善する。このように、データを送信する周期や、送信データの時間長が近い無線ＬＡＮ端末装置５０を同じグループとすることで、マルチユーザ伝送の効率を向上させることができる。
また、上記のことから、データを送信する周期や、送信データの時間長という値の算出の根拠となる最小サービス間隔、最大サービス間隔、データ到達間隔、平均ＭＳＤＵサイズ、データレート、アグリゲーション数、及び伝送速度というアドミッション制御部１７、統計情報取得部１９、及び端末情報管理部２６によって取得される値は、各無線ＬＡＮ端末装置５０へのデータの送信状況に影響を与える特徴（送信状況に関する特徴）を示す値であるといえる。
【００７９】
なお、上記の実施形態では、図９の処理と図１０の処理は選択的に用いられるものとしているが、図９と図１０の処理を併用する構成であってもよい。例えば、図９のステップＳｄ１２においてＹＥＳと判定され、かつ、図１０のステップＳｄ２２においてＹＥＳと判定された場合に、同じＧＩＤのグループと判定してもよい。また、例えば、図９のステップＳｄ１２においてＹＥＳと判定されたときの周期の差に基づく評価値と、図１０のステップＳｄ２２においてＹＥＳと判定されたときの時間長の差に基づく評価値との合計値に従って同じＧＩＤのグループと判定してもよい。
【００８０】
なお、上記の実施形態において、ＴＳＰＥＣの情報要素から読み出してフロー情報記憶部２３に書き込む情報として平均ＭＳＤＵサイズ、及び平均データレートを示している。しかし、本発明は、当該構成に限られるものではなく、ＴＳＰＥＣには、ＭＳＤＵサイズ、データレートの値として平均以外の値も含まれているため、平均以外の値をフロー情報記憶部２３に書き込んで処理に用いるようにしてもよい。
また、ＧＩＤ記憶部２５に記憶される情報は、フローについては、ＭＡＣアドレス＋ＴＳＩＤという形式としてもよい。
また、上述した無線ＬＡＮアクセスポイント装置１において、端末情報管理部２６及び端末情報記憶部２７は、プロトコル処理部１４に含まれる構成としてもよい。
【００８１】
上述した無線ＬＡＮアクセスポイント装置１、無線ＬＡＮ端末装置５０の各機能部は、専用のハードウェア（例えば、ワイヤードロジック等）により実現されてもよく、各機能部を実現するためのプログラムをコンピュータ読み取り可能な記録媒体に記録して、この記録媒体に記録されたプログラムをコンピュータシステムに読み込ませ、実行することによりその機能を実現させるものであってもよい。なお、ここでいう「コンピュータシステム」とは、ＯＳや周辺機器等のハードウエアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００８２】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。更に、前述した機能をコンピュータシステムに既に記録されているプログラムとの組み合わせで実現できるもの、いわゆる差分ファイル（差分プログラム）であっても良い。
【００８３】
以上、この発明の実施形態について図面を参照して詳述してきたが、具体的な構成はこの実施形態に限られるものではなく、この発明の要旨を逸脱しない範囲の設計等も含まれる。
【符号の説明】
【００８４】
１  無線ＬＡＮアクセスポイント装置
１０−１〜１０−Ｍ  無線アンテナ
１１  無線送受信処理部
１２  信号処理部
１３  無線ＬＡＮアクセス制御部
１４  プロトコル処理部
１５  受信パケット処理部
１６  アクセス制御部
１７  アドミッション制御部
１８  アドミッション情報記憶部
１９  統計情報取得部
２０  送信キュー部
２１  情報管理部
２２  フロー情報管理部
２３  フロー情報記憶部
２４  ＧＩＤ管理部
２５  ＧＩＤ記憶部
２６  端末情報管理部
２７  端末情報記憶部
２８  計時部
２９  中継処理部
３０  ネットワークインタフェース部
４０  有線ネットワーク
５０−１〜５０−Ｎ  無線ＬＡＮ端末装置
５１  無線アンテナ
５２  無線送受信処理部
５３  信号処理部
５４  無線ＬＡＮアクセス制御部
５５  プロトコル処理部
５６  アクセス制御部
５７  受信パケット処理部
５８  送信キュー部
５９  アドミッション制御部
６０  アドミッション情報記憶部
６１  ビーコン処理部
６２  ビーコン情報記憶部
６３  ＧＩＤ管理部
６４  ＧＩＤ記憶部
６５  上位層プロトコル処理部
１００  無線通信システム
【図１】
2014165770.tif 000003
【図２】
2014165770.tif 000004
【図３】
2014165770.tif 000005
【図４】
2014165770.tif 000006
【図５】
2014165770.tif 000007
【図６】
2014165770.tif 000008
【図７】
2014165770.tif 000009
【図８】
2014165770.tif 000010
【図９】
2014165770.tif 000011
【図１０】
2014165770.tif 000012
【図１１】
2014165770.tif 000013